(57)【要約】【課題】  ドアクローザの閉扉力を利用して鍵孔を照明する。【解決手段】  ドアクローザのシリンダを上下方向に貫通して上方又は下方に突出するピニオン軸６の端部の内、リンク機構に連結されない一方の端部を包囲する外ケース５をドアクローザ１に装着し、この外ケース５内に、ピニオン軸の一方の端部に同軸に装着された駆動歯車７を含む増速機８と、この増速機８の最終段の歯車９に同軸に結合されたローターを含む発電機１２と、減速機内に設けられた一方向クラッチ１３と、上記外ケースの室内シリンダ錠の鍵孔を包囲するように装着され、上記二次電池を電源とする発光体と、扉に装着された振動センサーとを備え、上記一方向クラッチの作動方向を、閉扉時クラッチを繋ぐようにすると共に、上記振動センサーの出力信号をトリガーとして、二次電池から発光体に給電する。【選択図】  図２
2009062734.tif 000002
【特許請求の範囲】
【請求項１】
作動油の粘性抵抗を利用して扉の閉扉時の衝撃を緩衝するドアクローザと、ドアクローザのシリンダを上下方向に貫通して上方又は下方に突出するピニオン軸の端部の内、リンク機構に連結されない一方の端部を包囲するようにしてドアクローザに装着された外ケースと、この外ケース内に収納され、ピニオン軸の一方の端部に同軸に装着された駆動歯車を含む増速機と、この増速機の最終段の歯車に同軸に結合されたローターを含む発電機と、この発電機によって充電される二次電池と、増速機内に設けられた一方向クラッチと、シリンダ錠の鍵孔の近傍に装着され、上記二次電池を電源とする発光体と、扉に装着された振動センサーとを備え、上記一方向クラッチの作動方向を、閉扉時クラッチを繋ぐようにすると共に、上記振動センサーの出力信号をトリガーとして、二次電池から発光体に給電するようにしたことを特徴とする鍵孔の照明装置。
【発明の詳細な説明】
【技術分野】
【０００１】
この発明は、新規な鍵孔の照明装置（以下単に照明装置という）に係り、特に、ドアクローザに連結された発電機を電源とし、夜間扉に振動を与えるだけで鍵孔を照明できる照明装置に関する。
【背景技術】
【０００２】
夜間帰宅したとき、扉外面における鍵孔の位置が周囲の暗さにより判りにくく、解錠及び開扉に手間取る場合がある。
【０００３】
かかる不都合を解消するため、従来、キーホルダーに電池と発光素子とスイッチを内蔵した鍵孔照明装置が提案され、実用されている。
【０００４】
しかしながら、かかる照明装置は、例えばポケットやかばん、ハンドバッグ等から取り出す手間が必要であり、また、電池代も馬鹿にならない。
【０００５】
そこで、本出願人は、先に、後記特許文献１を以て、新規な鍵の差込み案内装置を提案した。
【０００６】
この鍵の差込み案内装置は、シリンダ錠のキーガイドに、蓄光性成分を含有する高分子材料で構成された副キーガイドを一体的に結合したものである。
【特許文献１】特開平１０−１５３０２０号
【発明の開示】
【発明が解決しようとする課題】
【０００７】
上記特許文献１によって提案された鍵の差込み案内装置は、電源を必要としない利点はあるものの、昼間蓄えられた光を夜になって放出するものであるから、全体として暗く、夜中に近くなるほど益々暗くなって鍵孔の顕示装置としては性能が低いと言わざるを得ない。
【０００８】
この発明は、単に扉に振動を与えるだけで鍵孔を包囲するように設けられた発光体を発光させることができ、以て夜間鍵孔を顕示でき、しかも発光体の電源をドアクローザに連結された発電機によって充電できるようにした照明装置を提供することを目的としている。
【課題を解決するための手段】
【０００９】
上記の目的を達成するため、請求項１に記載の発明は、作動油の粘性抵抗を利用して扉の閉扉時の衝撃を緩衝するドアクローザと、ドアクローザのシリンダを上下方向に貫通して上方又は下方に突出するピニオン軸の端部の内、リンク機構に連結されない一方の端部を包囲するようにしてドアクローザに装着された外ケースと、この外ケース内に収納され、ピニオン軸の一方の端部に同軸に装着された駆動歯車を含む増速機と、この増速機の最終段の歯車に同軸に結合されたローターを含む発電機と、この発電機によって充電される二次電池と、増速機内に設けられた一方向クラッチと、シリンダ錠の鍵孔の近傍に装着され、上記二次電池を電源とする発光体と、扉に装着された振動センサーとを備え、上記一方向クラッチの作動方向を、閉扉時クラッチを繋ぐようにすると共に、上記振動センサーの出力信号をトリガーとして、二次電池から発光体に給電するようにしたことを特徴とする。
【発明の効果】
【００１０】
上記のように構成された請求項１に記載の発明は、、従来は利用することなく捨てていたドアクローザ閉扉時における出力エネルギーを利用して、コストが掛からない電力により夜間鍵孔を照明することができる、という優れた効果を奏する。
【００１１】
また、例えば指でノックをする、等の手段により扉に振動を与えるだけで鍵孔を照明できるので、発光体の点灯が容易で手探りでも点灯操作が可能である。
【００１２】
更にまた、構成が非常に簡単でしかも安価であり、しかも既存のドアクローザに後付けできる、等種々の効果を奏する。
【発明を実施するための最良の形態】
【００１３】
ドアクローザのピニオン軸に増速機と直流モータを接続し、また、扉に振動センサーを装着する、という簡単な構成で、簡単な構成の鍵孔の照明装置を得ることができた。
【実施例１】
【００１４】
以下、この発明の一実施例を図面を参照して説明する。
図１において符号１は従来公知のダッシュポット式のドアクローザを、符号２は扉を夫々示し、通常、ドアクローザ１は扉２の内面の支持側端縁上部に装着され、リンク機構３及びブラケット４を介して、扉枠に連結されている。
【００１５】
そして、ドアクローザ１のシリンダを上下方向に貫通して上方又は下方に突出するピニオン軸の端部の内、リンク機構に連結されない下方の端部を包囲するように、舟形の外ケース５がドアクローザの下面に装着されている
【００１６】
この外ケース５内には、図２に示すように、ピニオン軸６の下端に同軸に装着された平歯車としての駆動歯車７を含む増速機８が設けられている。
【００１７】
この増速機８の最終段の歯車９の下端部にはフライホイール１１が、上端部には発電機１２の図示しないローターが夫々同軸かつ一体的に結合されている。
【００１８】
なお、図示の実施例における最終段の歯車９は、次に述べるように、一方向クラッチギアが回転軸に繋がると歯車になるのだが、繋がらない場合には一方向クラッチギアと切り離されるので歯車にはならない。
【００１９】
しかしながら、上記一方向クラッチの型式には種々のものがあり、また、一方向クラッチが挿設される箇所は最終段の歯車とは限らないのだから、図示の最終段の回転体を最終段歯車と称することにする。
【００２０】
一方、図２に示すように、最終段の歯車９のフライホイール１１の上部には、フライホイール１１と発電機１２の間に挟まれるようにして、クラッチギア１３が最終段の歯車９の軸部に相互に回動可能に嵌合している。
【００２１】
このクラッチギア１３の上面には、例えば図３に示すように、回転中心軸を通る紙面に垂直な上面、最終段の歯車９の軸部に接し、上記上面に平行な下面、及び同軸の一対の円筒によって切り取られた形状で有底のクラッチ穴１４が形成されており、このクラッチ穴１４中にクラッチボール１５が遊動可能に収納されている。
【００２２】
上記した構成により、図２においてクラッチギア１３が最終段の歯車９に対し相対的に時計方向に回動するときにはクラッチギア１３が滑り、反時計方向に回動するときには、クラッチボール１５がクラッチ穴１４と最終段の歯車９との間に噛み込まれ、クラッチが繋がる。
【００２３】
なお、図示の実施例では、ドアクローザが閉扉方向に作動するとき、上記した構成のクラッチが繋がるように駆動歯車７の回動方向が設定されている。
【００２４】
なお、図２において符号１６は光拡散板を、符号１７は照明ランプを夫々示し、この照明ランプ１７は夜間扉を開けて入室した場合上記発電機１２から電力を供給されて扉口の電源スイッチを照明するためのものであるが、この発明の要旨ではないので、更に詳細な説明を省略する。
【００２５】
また、上記発電機１２は閉扉時発電するが、図４に示すように、その電力は充電装置１９を介して二次電池２１に供給され、ここに蓄えられる。
【００２６】
一方、図５に示すように、扉２の外面には発光体２２に包囲された鍵孔２１が開口している。
【００２７】
図示の実施例における発光体２２は、図６に示すように、例えば前記特許文献１における副キーガイドと同様の蓄光性成分を有する高分子材料で構成された穴開きリング状である。
【００２８】
そして、この発光体２２は、シリンダカバー２３（図６参照）の内側に形成された環堤部２４の内側に回動可能に嵌合しており、図示の実施例では、シリンダ錠の内筒外面（図示せず）に接着剤により一体に結合されている。
【００２９】
なお、この発光体２２とシリンダ錠内筒との結合は、前記特許文献１における副キーガイドとシリンダ錠の内筒との連結におけると同様に、例えば発光体の内面に連結ピンを一体に形成し、この連結ピンを内筒外端面に形成されたピン穴に係入させるようにしてもよい。
【００３０】
また、図６に示すように、上記環堤部２４の円周方向における例えば３箇所に切欠２５、２５が形成されており、各切欠２５には、例えば紫外線発光ダイオード２６等の発光素子が発光部を内側、すなわち発光体２２の外周面に向けて嵌め込まれ、或いは嵌め込んだ後接着剤によって固定されることにより、発光体２２を包囲するようにして装着されている。
【００３１】
他方、図５に示すように、扉２に振動センサー２７が装着されている。この振動センサー２７の扉２への装着の態様は、例えばサッシの扉の場合には扉内側に装着する。
【００３２】
この振動センサーは、振動を検知するものの他、音を検知するものも含むものとし、音を検知する振動センサーとしては例えばマイクロホンを採用することができる。
【００３３】
また、振動を検知するタイプの振動センサーとしては、接触式のものは圧電センサー、歪ゲージセンサー、また、非接触式のものは静電容量式センサー、光学式のもの、また、渦電流式のものなど種々目的に応じて選択することができる。
【００３４】
この振動センサーの出力信号は、単安定マルチバイブレータ或いはタイマーを介して上記紫外線発光ダイオードに供給され（図示せず）、この出力信号を供給された紫外線ダイオード２６は所定の時間発光体２２を照射し、発光体２２を発光させる。
【００３５】
なお、図示の実施例における発光体は、発光素子としての紫外線発光ダイオードと蓄光性成分を有する高分子材料で構成されたリング状の発光体２２とを組合わせたものであるが、リング状の発光体２２に直接発光素子を内蔵するタイプのものも考えることができる。
【００３６】
また、発光部を外に向けた発光ダイオードをシリンダカバー２３の外面に埋設し、この発光ダイオードの光により外側から鍵孔を照射するようにしても良い。
【００３７】
上記のように構成された本発明の一実施例による照明装置は、夜外出から帰ってきた家人が、暗いため何処に鍵孔が有るか判らなくても、例えば指で扉外面を軽くノックすることにより、振動センサーがタイマーを介して紫外線発光ダイオードを例えば数秒間発光させる。
【００３８】
図示の実施例における紫外線発光ダイオード２６は紫外線を含む紫色の光で発光体２２を照射し、この照射を受けた発光体は、蓄光性部材が有する色調、図示の実施例では薄い黄色に発光し、鍵孔を顕示する。
【００３９】
したがって、家人は容易に鍵を鍵孔に差込んで開扉することができる。開扉後、図示の実施例における発光体２２は数時間発光し続けるが、このことはこの発明の要旨ではない。
【実施例２】
【００４０】
上記した実施例１では、振動センサー２７の出力信号を直接タイマー等を介して発光体に供給するものとしたが、この第２実施例では、振動センサーの出力信号を例えばＣｄｓ（硫化カドミウム）素子を含む光レベルセンサーの出力信号と共にアンドゲートに供給し（図示せず）、このアンドゲートの出力信号を単安定マルチバイブレーターを介して発光体に供給する（図示せず）。
【００４１】
すると、光レベルセンサーが扉面の照度を検出して、その出力が所定の暗さより明るい場合には光レベルセンサーの出力を０にすることができる。
【００４２】
この場合、アンドゲートの出力は０となるから、発光体へのトリガー信号が発生しないことになり、発光体２２は光らず、二次電池の無駄な消耗を防止できる。
【実施例３】
【００４３】
更にまた、前記増速機の増速比が例えば１、換言すればクローザのピニオン６を一方向クラッチを介して発電機に直結した場合には、入力トルクは大きいが大容量の発電機を採用することができる。
【００４４】
この場合、ドアクローザの閉扉力はかなり大きいので、例えば自転車の発電機程度の出力を得ることができ、二次電池への充電電流を大きくすることができる。
【００４５】
また、短時間の内に大容量の電力を発生することができ、発電に起因する閉扉時間の延長、或いはクローザの作動遅れを改善できる。
【００４６】
そこで、特許請求の範囲の記載及び発明の詳細な説明における増速機の概念に増速比が１のものも含めるものとする。
【図面の簡単な説明】
【００４７】
【図１】この発明の一実施例による照明装置の発電機を室内側から見た正面図。
【図２】その要部の縦断麺図。
【図３】クラッチ機構の線図的断面図。
【図４】充電装置の構成を示すブロック図。
【図５】扉の一部外面図。
【図６】発光体の装着の態様の一例を示す外観斜視図。
【符号の説明】
【００４８】
１  ドアクローザ
２  扉
３  リンク機構
４  ブラケット
５  外ケース
６  ピニオン
７  駆動歯車
８  増速機
９  最終団の歯車
１１  フライホイール
１２  発電機
１３  クラッチギア
１４  クラッチ穴
１５  クラッチボール
１６  光拡散板
１７  照明ランプ
１８  充電装置
１９  二次電池
２１  鍵孔
２２  発光体
２３  シリンダカバー
２４  環堤部
２５  切欠
２６  紫外線発光ダイオード
２７  振動センサー
【図１】
2009062734.tif 000003
【図２】
2009062734.tif 000004
【図３】
2009062734.tif 000005
【図４】
2009062734.tif 000006
【図５】
2009062734.tif 000007
【図６】
2009062734.tif 000008